(57)【要約】      （修正有）【課題】半導体発光素子用ホルダのケーブル挿入孔にケーブルを容易に着脱可能な半導体発光素子用ホルダを提供する。【解決手段】ケース本体２０と、ケース本体に形成した照明用開口２１と、平面からなる一つのケーブル接続面のみに形成したケーブル７７を挿脱可能な陽極側ケーブル挿入孔３０Ａ及び陰極側ケーブル挿入孔３０Ｂと、ケース本体の絶縁部に支持させた、半導体発光素子の陽極と電気的に導通可能な陽極コンタクト及び半導体発光素子の陰極と電気的に導通可能な陰極コンタクトと、ケース本体の内部に設けた陽極側支持部及び陰極側支持部と、を備え、陽極コンタクト及び陰極コンタクトが、陽極側ケーブル挿入孔と陰極側ケーブル挿入孔にケーブルをそれぞれ挿入したときに、陽極側支持部と陰極側支持部のそれぞれから離れる方向に弾性変形しながら該陽極側支持部と該陰極側支持部のそれぞれとの間でケーブルをそれぞれ挟持する弾性変形部４８を有する。【選択図】図１１
2014110189.tif 000002
【特許請求の範囲】
【請求項１】
基板及び該基板に実装した半導体発光素子の一体物である半導体発光素子ユニットを配置可能な収容空間を内部に有するケース本体と、
該ケース本体に形成した、上記収容空間に配置した上記半導体発光素子を上記ケース本体の外側に露出させる照明用開口と、
上記ケース本体の外周面の一部をなしかつ平面からなる一つのケーブル接続面のみに形成した、それぞれケーブルを挿脱可能な陽極側ケーブル挿入孔及び陰極側ケーブル挿入孔と、
上記収容空間に位置する状態で上記ケース本体の絶縁部に支持させた、上記半導体発光素子の陽極と電気的に導通可能でかつ上記陽極側ケーブル挿入孔に挿入した上記ケーブルと接続する陽極コンタクト及び上記半導体発光素子の陰極と電気的に導通可能かつ上記陰極側ケーブル挿入孔に挿入した上記ケーブルと接続する陰極コンタクトと、
上記ケース本体の内部に設けた陽極側支持部及び陰極側支持部と、
を備え、
上記陽極コンタクト及び上記陰極コンタクトが、上記陽極側ケーブル挿入孔と上記陰極側ケーブル挿入孔に上記ケーブルをそれぞれ挿入したときに、上記陽極側支持部と上記陰極側支持部のそれぞれから離れる方向に弾性変形しながら該陽極側支持部と該陰極側支持部のそれぞれとの間で上記ケーブルをそれぞれ挟持する弾性変形部を有することを特徴とする半導体発光素子用ホルダ。
【請求項２】
請求項１記載の半導体発光素子用ホルダにおいて、
上記半導体発光素子用ホルダの上記陰極側ケーブル挿入孔と対向する上記陰極コンタクトに接続した上記ケーブルが、該半導体発光素子用ホルダとは別の上記半導体発光素子用ホルダの上記陽極側ケーブル挿入孔と対向する上記陽極コンタクトと接続可能である半導体発光素子用ホルダ。
【請求項３】
請求項１または２記載の半導体発光素子用ホルダと、
上記収容空間に配置した上記半導体発光素子ユニットと、
を備えることを特徴とする半導体発光素子モジュール。
【請求項４】
請求項３記載の半導体発光素子モジュールにおいて、
上記半導体発光素子ユニットの上記基板が、上記半導体発光素子と導通する陽極及び陰極並びに該陽極と該陰極のいずれかの位置を示す指標を備え、
上記ケース本体に、上記半導体発光素子ユニットを該ケース本体に対して正規の位置で取り付けたときに上記指標を外側に露出させる指標視認用孔を形成した半導体発光素子モジュール。
【請求項５】
請求項４記載の半導体発光素子モジュールにおいて、
上記指標視認用孔を上記陽極側ケーブル挿入孔及び上記陰極側ケーブル挿入孔の近傍に設けた半導体発光素子モジュール。
【請求項６】
請求項３から５のいずれか１項記載の半導体発光素子モジュールと、
上記基板露出用開口から外部に露出した上記基板に接触する放熱部材と、
上記半導体発光素子が発した照明光が透過可能で、かつ上記半導体発光素子ホルダを囲む投光性カバー部材と、
を備えることを特徴とする照明器具。
【発明の詳細な説明】
【技術分野】
【０００１】
本発明は、半導体発光素子（ＬＥＤ）を取付可能な半導体発光素子用ホルダ、半導体発光素子モジュール、及び照明器具に関する。
【背景技術】
【０００２】
半導体発光素子（ＬＥＤ）を利用した照明器具の従来例としては、例えば特許文献１に開示されたものがある。
この照明器具は、複数のＬＥＤコネクタ（半導体発光素子用ホルダ）と、各ＬＥＤコネクタとそれぞれ一体化させた複数のＬＥＤモジュール（基板にＬＥＤ素子を実装したもの）と、を具備している。各ＬＥＤコネクタは正極用コンタクトと負極用コンタクトを一つずつ備えており、各ＬＥＤコネクタに設けた正極用コンタクトと負極用コンタクトはＬＥＤ素子の陽極と負極にそれぞれ接続している。各ＬＥＤコネクタの外形を構成する矩形形状のハウジングの外周面は、平面からなる４つの側面によって構成してあり、ハウジングの中央部を挟んで離間する２つの側面には、正極用コンタクト及び負極用コンタクトの一部をそれぞれ受け入れる正極用コンタクト収容穴及び負極用コンタクト収容穴がそれぞれ一つずつ形成してある。
【０００３】
ＬＥＤコネクタとＬＥＤモジュールからなる一体物（のＬＥＤコネクタ）に設けた２つの正極用コンタクト収容穴には正極用電線（ケーブル）をそれぞれ挿入可能であり、２つの負極用コンタクト収容穴には負極用電線（ケーブル）をそれぞれ挿入可能である。正極用コンタクト収容穴に２本の正極用電線を挿入すると各正極用電線が正極用コンタクトと接続し、負極用コンタクト収容穴に２本の負極用電線を挿入すると各負極用電線が負極用コンタクトと接続する。
そして、各一体物（ＬＥＤコネクタとＬＥＤモジュール）に接続した４本の電線（２本の正極用電線及び２本の負極用電線）を隣接する別の一体物（ＬＥＤコネクタとＬＥＤモジュール）の正極用コンタクト収容穴と負極用コンタクト収容穴に挿入して正極用コンタクトと負極用コンタクトにそれぞれ接続することにより、複数の一体物（ＬＥＤモジュール）を一方向に並んだ直線状態で接続できる。また、このときの（電気的な）接続状態は並列状態になる。
このようにして構成した照明器具の長手方向に端部に位置する一体物の正極用電線と負極用電線を電源の正極と負極にそれぞれ接続すれば、並列状態で接続された各ＬＥＤモジュール（ＬＥＤ素子）が発光する。
【先行技術文献】
【特許文献】
【０００４】
【特許文献１】特開２０１２−１６４６１３号公報
【発明の概要】
【発明が解決しようとする課題】
【０００５】
しかし上記照明器具には以下の欠点がある。
即ち、各一体物どうしを接続するときに、各一体物（のＬＥＤコネクタ）の互いに離れた２面に形成した正極用コンタクト収容穴及び負極用コンタクト収容穴のそれぞれに正極用電線と負極用電線をそれぞれ接続（挿入）する必要がある。
そのため、各一体物に対する正極用電線と負極用電線の接続（挿入）及び接続解除（引き抜き）作業が容易ではなく、照明器具の組立作業性が悪い。
【０００６】
さらに各一体物どうしを直線状に接続するときは、隣り合う一体物（ＬＥＤコネクタ）の正極用コンタクト収容穴及び負極用コンタクト収容穴どうしを対向させ、対向させた正極用コンタクト収容穴どうしを正極用電線で接続しかつ対向させた負極用コンタクト収容穴どうしを負極用電線で接続することになる。即ち、作業者は隣り合う一体物（ＬＥＤコネクタ）の対向面間に手（指）を入れた状態で、対向する正極用コンタクト収容穴と負極用コンタクト収容穴に正極用電線と負極用電線を挿入することになる。そのため隣り合う一体物（ＬＥＤコネクタ）の間に作業者の手（指）が入れだけのスペースを確保する必要があるので、各一体物（ＬＥＤコネクタ）を狭い間隔で配置することができない。
【０００７】
本発明の目的は、半導体発光素子用ホルダの陽極側ケーブル挿入孔及び陰極側ケーブル挿入孔にケーブルを容易に着脱可能であり、しかも複数の半導体発光素子用ホルダどうしを連鎖状に接続するときに隣り合う半導体発光素子用ホルダの間隔を狭くすることが可能な半導体発光素子用ホルダ、半導体発光素子モジュール、及び照明器具を提供することにある。
【課題を解決するための手段】
【０００８】
本発明の半導体発光素子用ホルダは、基板及び該基板に実装した半導体発光素子の一体物である半導体発光素子ユニットを配置可能な収容空間を内部に有するケース本体と、該ケース本体に形成した、上記収容空間に配置した上記半導体発光素子を上記ケース本体の外側に露出させる照明用開口と、上記ケース本体の外周面の一部をなしかつ平面からなる一つのケーブル接続面のみに形成した、それぞれケーブルを挿脱可能な陽極側ケーブル挿入孔及び陰極側ケーブル挿入孔と、上記収容空間に位置する状態で上記ケース本体の絶縁部に支持させた、上記半導体発光素子の陽極と電気的に導通可能でかつ上記陽極側ケーブル挿入孔に挿入した上記ケーブルと接続する陽極コンタクト及び上記半導体発光素子の陰極と電気的に導通可能かつ上記陰極側ケーブル挿入孔に挿入した上記ケーブルと接続する陰極コンタクトと、上記ケース本体の内部に設けた陽極側支持部及び陰極側支持部と、を備え、上記陽極コンタクト及び上記陰極コンタクトが、上記陽極側ケーブル挿入孔と上記陰極側ケーブル挿入孔に上記ケーブルをそれぞれ挿入したときに、上記陽極側支持部と上記陰極側支持部のそれぞれから離れる方向に弾性変形しながら該陽極側支持部と該陰極側支持部のそれぞれとの間で上記ケーブルをそれぞれ挟持する弾性変形部を有することを特徴としている。
【０００９】
上記半導体発光素子用ホルダの上記陰極側ケーブル挿入孔と対向する上記陰極コンタクトに接続した上記ケーブルが、該半導体発光素子用ホルダとは別の上記半導体発光素子用ホルダの上記陽極側ケーブル挿入孔と対向する上記陽極コンタクトと接続可能であってもよい。
【００１０】
本発明の半導体発光素子用モジュールは、上記収容空間に配置した上記半導体発光素子ユニットと、を備えることを特徴としている。
【００１１】
上記半導体発光素子ユニットの上記基板が、上記半導体発光素子と導通する陽極及び陰極並びに該陽極と該陰極のいずれかの位置を示す指標を備え、上記ケース本体に、上記半導体発光素子ユニットを該ケース本体に対して正規の位置で取り付けたときに上記指標を外側に露出させる指標視認用孔を形成してもよい。
さらに上記指標視認用孔を上記陽極側ケーブル挿入孔及び上記陰極側ケーブル挿入孔の近傍に設けてもよい。
【００１２】
本発明の照明器具は、上記基板露出用開口から外部に露出した上記基板に接触する放熱部材と、上記半導体発光素子が発した照明光が透過可能で、かつ上記半導体発光素子ホルダを囲む投光性カバー部材と、を備えることを特徴としている。
【発明の効果】
【００１３】
本発明の半導体発光素子用ホルダ（半導体発光素子モジュール及び照明器具）は、ケース本体の外周面の一部をなしかつ平面からなる一つのケーブル接続面のみに陽極側ケーブル挿入孔及び陰極側ケーブル挿入孔を備えている。そのため、半導体発光素子用ホルダに対して各ケーブルを着脱する場合は、ケース本体の一方の面側から陽極側ケーブル挿入孔及び陰極側ケーブル挿入孔に対して各ケーブルを着脱すればよいので、半導体発光素子用ホルダ（陽極側ケーブル挿入孔及び陰極側ケーブル挿入孔）に対して各ケーブルを容易に着脱可能である。
さらに本発明の半導体発光素子用ホルダ（半導体発光素子モジュール及び照明器具）は、各半導体発光素子用ホルダのケーブル接続面を同じ方向に向けた状態で（隣り合う半導体発光素子用ホルダのケーブル接続面どうしを対向させずに）、各半導体発光素子用ホルダどうしを直線状に接続できる。そのため、作業者はケーブルの着脱作業時に隣り合う半導体発光素子用ホルダの対向面間に手（指）を入れる必要がないので、隣り合う半導体発光素子用ホルダどうしの間隔（接続ピッチ）を短くしながら各半導体発光素子用ホルダどうしを連鎖状に接続することが可能である。
【図面の簡単な説明】
【００１４】
【図１】本発明の第１の実施形態のＬＥＤモジュール、ケーブル、及び固定ボルトの前斜め上方から見た斜視図である。
【図２】ＬＥＤモジュール、ケーブル、及び固定ボルトの後斜め上方から見た斜視図である。
【図３】ＬＥＤモジュールの後斜め上方から見た分解斜視図である。
【図４】ＬＥＤモジュールの後斜め下方から見た分解斜視図である。
【図５】インシュレータの底面図である。
【図６】陽極側導電部材及び陰極側導電部材を支持したインシュレータとカバー部材の下方から見た分解斜視図である。
【図７】インシュレータに陽極側導電部材及び陰極側導電部材を支持させたときの底面図である。
【図８】陽極側導電部材及び陰極側導電部材を支持したインシュレータに対してカバー部材を組み付けることにより完成したＬＥＤ用ホルダの下方からみた斜視図である。
【図９】ＬＥＤ用ホルダに対してＬＥＤユニットを組み付けることにより完成したＬＥＤモジュールと、ケーブルと、固定ボルトの下方からみた分離状態の斜視図である。
【図１０】図２のＸ−Ｘ矢線に沿う断面図である。
【図１１】図１のXI−XI矢線に沿う断面図である。
【図１２】複数のＬＥＤモジュールを具備する照明器具の側面図である。
【図１３】照明器具の模式的な底面図である。
【図１４】本発明の第２の実施形態のＬＥＤモジュール、ケーブル、及び固定ボルトの後斜め上方から見た斜視図である。
【図１５】ＬＥＤモジュール、ケーブル、及び固定ボルトの前斜め下方から見た斜視図である。
【図１６】ＬＥＤモジュールの後斜め上方から見た分解斜視図である。
【図１７】ＬＥＤモジュールの後斜め下方から見た分解斜視図である。
【図１８】インシュレータに陽極側導電部材及び陰極側導電部材を支持させたときの底面図である。
【図１９】ＬＥＤ用ホルダと、ＬＥＤユニットと、ケーブルと、固定ボルトの下方からみた分離状態の斜視図である。
【図２０】図１４のXX−XX矢線に沿う断面図である。
【図２１】照明器具の模式的な底面図である。
【図２２】第１の実施形態の変形例を示す照明器具の模式的な底面図である。
【発明を実施するための形態】
【００１５】
以下、図１〜図１３を参照しながら本発明の第１の実施形態について説明する。なお、以下の説明中の前後、左右、及び上下の方向は、図中の矢印の方向を基準としている（但し、図１２に基づく説明は除く）。
本実施形態は本発明のＬＥＤモジュール１０を照明器具８０（図１２参照）の光源として利用したものである。
ＬＥＤモジュール１０（半導体発光素子モジュール）は、ＬＥＤ用ホルダ１５（半導体発光素子用ホルダ）にＬＥＤユニット７０（半導体発光素子ユニット）を取り付けて一体化したものである。まずはＬＥＤモジュール１０（ＬＥＤ用ホルダ１５とＬＥＤユニット７０）の詳しい構造について説明する。
【００１６】
ＬＥＤ用ホルダ１５は大きな構成要素としてインシュレータ２０（ケース本体）（絶縁部）、陽極側導電部材４０、陰極側導電部材５０、及びカバー部材６０（ケース本体）を具備している。
平面視略矩形のインシュレータ２０は絶縁性の合成樹脂材料を射出成形したものである。インシュレータ２０の中心部には円形をなす照明用開口２１が貫通孔として穿設してある。インシュレータ２０の上面には照明用開口２１の外周側に位置するテーパ状反射面２２が凹設してある。テーパ状反射面２２は外周側から内周側に向かうにつれて徐々に下方に向かうテーパ形状である。インシュレータ２０の上面には、対角線上に位置する２つの角部に位置する角部凹部２３が２つ凹設してあり、各角部凹部２３の底面には貫通孔２４が穿設してある。インシュレータ２０の前面と後面の中央部にはそれぞれ係合凹部２５が形成してあり、各係合凹部２５の底面には係止突起２６がそれぞれ突設してある。またインシュレータ２０の上面の右側部には左右一対のピン挿入用孔２７が貫通孔として穿設してある。
図４〜図７等に示すように、インシュレータ２０の下面の右側端部には陽極側ケーブル挿入溝３０Ａと陰極側ケーブル挿入溝３０Ｂが、前後方向に延びかつ後端が開放する溝として形成してある。図５及び図７に示すように、左右のピン挿入用孔２７は陽極側ケーブル挿入溝３０Ａと陰極側ケーブル挿入溝３０Ｂの底面とそれぞれ連通している。インシュレータ２０の下面の中央部には底面視略方形のＬＥＤ収納用凹部３１が凹設してある。さらにインシュレータ２０の下面には、ＬＥＤ収納用凹部３１の左右両側に位置する円弧形状のコンタクト収納用凹部３２が、ＬＥＤ収納用凹部３１より深い溝として凹設してある。インシュレータ２０の下面の右側部、前縁部、及び左側部には底面視でＬＥＤ収納用凹部３１を囲むようにして、右側凹部３４、前側凹部３５、及び左側凹部３６がそれぞれ凹設してあり、前側凹部３５の左右両端部が右側凹部３４と左側凹部３６の前端部とそれぞれ連通している。また図５、図７等に示すように、インシュレータ２０の下面には陽極側ケーブル挿入溝３０Ａと陰極側ケーブル挿入溝３０Ｂの前端部と右側凹部３４の後端部とをそれぞれ連通する、左右一対のコンタクト挿入溝３７がそれぞれ凹設してある。さらにインシュレータ２０の下面にはＬＥＤ収納用凹部３１の四隅近傍にそれぞれ位置する４本の弾性変形片３８が下向きに突設してある。各弾性変形片３８はインシュレータ２０の下面より下方まで突出しており（図１０参照）、各弾性変形片３８は板厚方向に弾性変形可能である。さらに前側の弾性変形片３８の下端部の後面及び後側の弾性変形片３８の下端部の前面には係合爪３９（基板保持部）がそれぞれ突設してある。
【００１７】
陽極側導電部材４０（陽極側コンタクト）及び陰極側導電部材５０（陰極側コンタクト）は、ばね弾性を備えた銅合金（例えばリン青銅、ベリリウム銅、チタン銅）やコルソン系銅合金の薄板を順送金型（スタンピング）を用いて図示形状に成形加工したものであり、表面にニッケルメッキで下地を形成した後に、金メッキや錫銅めっきを施している。
陽極側導電部材４０は、右側部４１、前部４２、及び左側部４３からなる平板状のベース板部４４を具備している。前部４２の後縁部には左右一対の逃げ用凹部４２ａが形成してあり、右側部４１には円形孔４５が貫通孔として穿設してある。右側部４１の上面の後端部からはケーブル用陽極コンタクト４７Ａが後方に向かって延びている。ケーブル用陽極コンタクト４７Ａの後端部には前方に向けて折り返すことにより形成した弾性変形部４８が設けてある。また左側部４３の上面の後端部からは接続部５４が上方に延びている。接続部５４の上端部には前後方向に延びるＬＥＤ用陽極コンタクト５５（基板保持部）の長手方向の中央部が接続しており、ＬＥＤ用陽極コンタクト５５の前後両端部には接触端部５６がそれぞれ形成してある。陽極側導電部材４０とは別体の陰極側導電部材５０（コンタクト）は、ケーブル用陽極コンタクト４７Ａと略同形状のケーブル用陰極コンタクト４７Ｂを具備しており、ケーブル用陰極コンタクト４７Ｂの後端部には前方に向けて折り返すことにより形成した弾性変形部４８が設けてある。さらにケーブル用陰極コンタクト４７Ｂの上面からは接続部４９が左側に延びており、接続部４９の左端部は前後方向に延びるＬＥＤ用陰極コンタクト５１（基板保持部）の長手方向の中央部に接続している。ＬＥＤ用陰極コンタクト５１の前後両端部には接触端部５２がそれぞれ形成してある。
陽極側導電部材４０及び陰極側導電部材５０はインシュレータ２０の底面に対して下方から、互いに離間した状態で取り付けてある。具体的には、ベース板部４４の右側部４１、前部４２、左側部４３をインシュレータ２０の右側凹部３４、前側凹部３５、左側凹部３６にそれぞれ嵌合すると共に、ケーブル用陽極コンタクト４７Ａとケーブル用陰極コンタクト４７Ｂの前部（基端部）を左右のコンタクト挿入溝３７にそれぞれ嵌合することにより、インシュレータ２０の底面に対して固定してある。するとケーブル用陽極コンタクト４７Ａとケーブル用陰極コンタクト４７Ｂの後部が陽極側ケーブル挿入溝３０Ａと陰極側ケーブル挿入溝３０Ｂの内部にそれぞれ位置し、ＬＥＤ用陰極コンタクト５１とＬＥＤ用陽極コンタクト５５が左右のコンタクト収納用凹部３２内にそれぞれ位置する。ケーブル用陽極コンタクト４７Ａとケーブル用陰極コンタクト４７Ｂの前部は対応するコンタクト挿入溝３７によって弾性変形が規制されているものの、左右の弾性変形部４８は陽極側ケーブル挿入溝３０Ａと陰極側ケーブル挿入溝３０Ｂの内部において基端部（後端部）を中心にして左右方向に弾性変形可能である（さらにケーブル用陽極コンタクト４７Ａとケーブル用陰極コンタクト４７Ｂの後部も弾性変形可能である）。一方、ＬＥＤ用陰極コンタクト５１及びＬＥＤ用陽極コンタクト５５の前部と後部は対応するコンタクト収納用凹部３２の内部において、それぞれの中央部（接続部４９、接続部５４との接触部）を中心にして上下方向に弾性変形可能である。
【００１８】
平面視略矩形のカバー部材６０は絶縁性の合成樹脂材料を射出成形したものである。カバー部材６０は、平板状の基板部６１を具備しており、基板部６１の中央部には平面視矩形をなす基板露出用開口６２が貫通孔として形成してある。基板露出用開口６２の前後両縁部の左右２カ所には逃げ用凹部６３が形成してある。さらにカバー部材６０の下面の４カ所には、前側の２つの逃げ用凹部６３の直前に位置する２つの押え用突起６４と、後側の２つの逃げ用凹部６３の直後に位置する２つの押え用突起６４とが下向きに突設してある。基板部６１の上面の前後両側縁部には係合凸部６５が上向きに突設してあり、前後の係合凸部６５には係合孔６６が貫通孔として形成してある。基板部６１の上面の右側縁部の後端近傍部には左右一対のコンタクト支持凸部６７が上向きに突設してある。基板部６１の対角線上に位置する２つの角部近傍には円形の貫通孔６８がそれぞれ穿設してあり、基板部６１の上面の各貫通孔６８と対応する位置には環状突起６９がそれぞれ上向きに突設してある。
カバー部材６０は、陽極側導電部材４０及び陰極側導電部材５０を支持したインシュレータ２０の下面に対して下方から取り付けてある。具体的には、基板部６１によってインシュレータ２０の下面を塞ぎながら、前後の係合凸部６５を前後の係合凹部２５にそれぞれ位置させ、前後の係止突起２６を対応する係合凸部６５の係合孔６６に係合させる。すると、一方の環状突起６９が円形孔４５に嵌合しながら一方の貫通孔２４の直下に位置し、他方の環状突起６９が他方の貫通孔２４の直下に位置し、さらに左右のコンタクト支持凸部６７がケーブル用陽極コンタクト４７Ａとケーブル用陰極コンタクト４７Ｂの後部の直下にそれぞれ微小クリアランスを形成しながら位置する（接触させてもよい）。さらにインシュレータ２０の前側の２つの弾性変形片３８（係合爪３９）が対応する２つの逃げ用凹部４２ａと２つの逃げ用凹部６３を通り抜けてカバー部材６０の下方に突出し、後側の２つの弾性変形片３８（係合爪３９）が対応する２つの逃げ用凹部６３を通り抜けてカバー部材６０の下方に突出する。
このようにして陽極側導電部材４０及び陰極側導電部材５０を支持したインシュレータ２０とカバー部材６０とを一体化することによりＬＥＤ用ホルダ１５が完成する（図８参照）。またインシュレータ２０の陽極側ケーブル挿入溝３０Ａ、陰極側ケーブル挿入溝３０Ｂ、ＬＥＤ収納用凹部３１、コンタクト収納用凹部３２、右側凹部３４、前側凹部３５、左側凹部３６、及びコンタクト挿入溝３７と、カバー部材６０とによって囲まれた空間が収容空間である。
【００１９】
ＬＥＤユニット７０は、基板露出用開口６２と同じ形状の基板７１と、基板７１の上面に形成された電気回路（図示略）と導通した一つの高輝度タイプのＬＥＤ７４（半導体発光素子。ＬＥＤ７４の陽極が電気回路の陽極側回路に接続し、ＬＥＤ７４の陰極が電気回路の陰極側回路に接続している）と、を具備しており、基板７１の上面には上記電気回路の陽極側回路と陰極側回路にそれぞれ形成した陽極７２と陰極７３が形成してある。なお、必要に応じて、ＬＥＤ７４を覆う拡散レンズ７５（図１、図２、図１１参照）を基板７１の上面に固定してもよい。また透光性及び絶縁性を有する熱硬化性樹脂材料や紫外線硬化性樹脂材料等からなる封止剤（図示略）によって基板７１の上面及びＬＥＤ７４を覆うことによりＬＥＤユニットをパッケージ型のものとして構成してもよい。
ＬＥＤユニット７０は、下方から基板露出用開口６２に嵌合することによりＬＥＤ用ホルダ１５と一体化してある。ＬＥＤユニット７０の基板７１を基板露出用開口６２に嵌合すると、陽極７２がＬＥＤ用陽極コンタクト５５を上方に弾性変形させながら後側の接触端部５６に接触し、陰極７３がＬＥＤ用陰極コンタクト５１を上方に弾性変形させながら後側の接触端部５２に接触するので、基板７１のＬＥＤ用ホルダ１５に対する上方への移動が規制される。さらに基板７１の前後両縁部が各係合爪３９を押圧することにより各弾性変形片３８を外側（前側の弾性変形片３８は前方、後側の弾性変形片３８は後方）に弾性変形させ、基板７１が各係合爪３９より上方に移動したときに（係合爪３９を乗り越えたときに）各弾性変形片３８が自由状態に戻り、４つの係合爪３９が下方から基板７１の下面の４カ所にそれぞれ係合する。そのためＬＥＤユニット７０は、ＬＥＤ用陰極コンタクト５１、ＬＥＤ用陽極コンタクト５５、及び４つの係合爪３９によって基板７１の下面が基板部６１の下面と面一となる状態に保持される（図１０参照）。なお、ＬＥＤユニット７０が各弾性変形片３８を外側に弾性変形させても、各弾性変形片３８は対応する押え用突起６４に当接するまでしか変形できないので、各弾性変形片３８が弾性限度を超えて弾性変形することはない。さらに拡散レンズ７５を設けた場合は、ＬＥＤユニット７０をＬＥＤ用ホルダ１５と一体化すると、拡散レンズ７５が照明用開口２１に遊嵌する（さらに拡散レンズ７５がＬＥＤ収納用凹部３１内に位置し、拡散レンズ７５が照明用開口２１を通してインシュレータ２０の上方に露出する）。
このようにしてＬＥＤユニット７０をＬＥＤ用ホルダ１５と一体化することによりＬＥＤモジュール１０が完成する（図９参照）。
【００２０】
ＬＥＤモジュール１０に対しては２本のケーブル７７の一方の端部を接続可能である。可撓性を有するケーブル７７は、多数の金属線を束ねたものである電線７８と、電線７８の表面を被覆する絶縁材料からなる被覆チューブ７９と、を具備している。各ケーブル７７の両端は被覆チューブ７９を除去することにより電線７８を露出させてある。２本のケーブル７７の一方の端部を陽極側ケーブル挿入溝３０Ａと陰極側ケーブル挿入溝３０Ｂに対してそれぞれ直線的に挿入すると、露出した電線７８の端部が対応する弾性変形部４８を（ケーブル用陽極コンタクト４７Ａ、ケーブル用陰極コンタクト４７Ｂの本体部側に接近する方向に）弾性変形させながら弾性変形部４８に接触し、各電線７８の端部が対応する弾性変形部４８とインシュレータ２０の内壁（陽極側支持部、陰極側支持部）との間で挟持される（図１１参照）。そのため、各ケーブル７７はケーブル用陽極コンタクト４７Ａとケーブル用陰極コンタクト４７Ｂに対して、陽極側ケーブル挿入溝３０Ａと陰極側ケーブル挿入溝３０Ｂに対する１回の直線的な押し込み操作によって簡単に接続できる。各ケーブル７７をケーブル用陽極コンタクト４７Ａとケーブル用陰極コンタクト４７Ｂに接続すると、ケーブル７７に引き抜き力を与えてもケーブル７７を円滑に引き抜くことはできない。そのためケーブル７７を陽極側ケーブル挿入溝３０Ａと陰極側ケーブル挿入溝３０Ｂから引き抜くときは、図示を省略したピンの先端をピン挿入用孔２７を通して陽極側ケーブル挿入溝３０Ａと陰極側ケーブル挿入溝３０Ｂの内部に挿入し、該ピンの先端によって弾性変形部４８を（ケーブル用陽極コンタクト４７Ａ、ケーブル用陰極コンタクト４７Ｂの本体部側に接近する方向に）さらに弾性変形させて、弾性変形部４８と電線７８との接触圧力を低下させる。このようにすれば、各ケーブル７７を小さい引き抜き力で円滑に引き抜くことができる。
【００２１】
以上構成のＬＥＤモジュール１０及びケーブル７７は図１２に示した照明器具８０の構成物品として利用可能である。
図１３に示すように照明器具８０を構成する際は、上下の向きを反転させた４個（４個以外の複数でも可）のＬＥＤモジュール１０を直線方向（図１２では紙面に直交する方向）に並べる。即ち、図１３に示すように、隣り合う２つのＬＥＤモジュール１０の陽極側ケーブル挿入溝３０Ａと陰極側ケーブル挿入溝３０Ｂにケーブル７７の両端部を接続し、これらのケーブル７７の一端部を陽極側ケーブル挿入溝３０Ａ内においてケーブル用陽極コンタクト４７Ａ（弾性変形部４８）に接続し、ケーブル７７の他端部をケーブル用陰極コンタクト４７Ｂ（弾性変形部４８）に接続する。即ち、４個のＬＥＤモジュール１０を直列状態で接続する。
照明器具８０は平面視円形をなす合成樹脂製のベース部材８１を具備しており、ベース部材８１の下面（図１２における下面であり、図中に示した矢線の向きを基準とする場合は上面）には凹部が形成してあり、該凹部の底面（図１２では上面）には金属板からなるシャシー８２（放熱部材）が固着してある。そして上記のように直線状に接続した各ＬＥＤモジュール１０は、各押え用突起６４をシャシー８２に凹設した位置決め用凹部に係合しながら、２つの貫通孔２４に対して角部凹部２３側から固定ボルト８３を挿入し、貫通孔２４を貫通した各固定ボルト８３の雄ネジ部をシャシー８２に形成した２つの雌ネジ孔（図示略）にそれぞれ螺合することにより、ベース部材８１（シャシー８２）に対して固定可能である。ＬＥＤモジュール１０をベース部材８１に固定すると、基板露出用開口６２を通して露出する基板７１の下面（図１２では上面）がシャシー８２に当接する。またベース部材８１の下面（図１２における下面であり、図中に示した矢線の向きを基準とする場合は上面）には、ベース部材８１の下面及びＬＥＤモジュール１０を覆う半球形状の投光性カバー部材８４が被せてある。
この複数のＬＥＤモジュール１０、複数のケーブル７７、ベース部材８１、シャシー８２、固定ボルト８３、及び投光性カバー部材８４を備える照明器具８０は、例えば図１２に示すようにベース部材８１の投光性カバー部材８４と反対側面を上方に向けた状態で天井板８５にネジ等によって固定可能である。ＬＥＤモジュール１０の接続方向（直線方向）の一端に位置するＬＥＤモジュール１０のケーブル７７の当該ＬＥＤモジュール１０と反対側の端部は、天井板８５に形成した貫通孔８６を通して天井板８５の上方に引き出し、図示を省略した制御装置を介して電源の陽極に接続し、ＬＥＤモジュール１０の接続方向（直線方向）の他端に位置するＬＥＤモジュール１０のケーブル７７の当該ＬＥＤモジュール１０と反対側の端部は、天井板８５に形成した貫通孔（図示略）を通して天井板８５の上方に引き出し、制御装置を介した上で上記電源の陰極に接続する。図示を省略したスイッチをＯＦＦからＯＮに切り換えれば、電源で発生した電流がケーブル７７、陽極側導電部材４０（ケーブル用陽極コンタクト４７Ａ、ＬＥＤ用陽極コンタクト５５）、及び陰極側導電部材５０（ケーブル用陰極コンタクト４７Ｂ、ＬＥＤ用陰極コンタクト５１）を介して基板７１の電気回路に流れ各ＬＥＤ７４が発光する（さらに拡散レンズ７５を設けた場合は拡散レンズ７５によって拡散される）。ＬＥＤ７４が発した照明光はインシュレータ２０のテーパ状反射面２２によって反射されながら投光性カバー部材８４側に向かい、投光性カバー部材８４を通り抜けて外部に照射される。一方、スイッチをＯＮからＯＦＦに切り換えれば、電流のＬＥＤ７４への供給が遮断されるので各ＬＥＤ７４は消灯する。
【００２２】
以上説明した本実施形態によれば、各ＬＥＤモジュール１０（ＬＥＤ用ホルダ１５）の後面（平面からなるケーブル接続面）のみに陽極側ケーブル挿入溝３０Ａ及び陰極側ケーブル挿入溝３０Ｂを形成している。そのため、ＬＥＤモジュール１０に対して各ケーブル７７を着脱する際は、ＬＥＤモジュール１０の一方の面側（後方）から陽極側ケーブル挿入溝３０Ａ及び陰極側ケーブル挿入溝３０Ｂに対して各ケーブル７７を着脱すればよいので、ＬＥＤモジュール１０（陽極側ケーブル挿入溝３０Ａ及び陰極側ケーブル挿入溝３０Ｂ）に対して各ケーブル７７を容易に着脱可能である。
さらに各ＬＥＤモジュール１０（ＬＥＤ用ホルダ１５）は、各ＬＥＤ用ホルダ１５の後面（平面からなるケーブル接続面）を同じ方向に向けた状態で（隣り合うＬＥＤモジュール１０のケーブル接続面どうしを対向させずに）、各ＬＥＤモジュール１０どうしを直線状に接続できる。そのため、作業者はケーブル７７の着脱作業時に隣り合うＬＥＤモジュール１０の対向面間に手（指）を入れる必要がないので、隣り合うＬＥＤモジュール１０どうしの間隔（接続ピッチ）を短くしながら各ＬＥＤモジュール１０どうしを直線状に接続することが可能である。
【００２３】
さらにＬＥＤモジュール１０を、ケーブル用陽極コンタクト４７Ａ、ケーブル用陰極コンタクト４７Ｂ、ＬＥＤ用陰極コンタクト５１、ＬＥＤ用陽極コンタクト５５、及びＬＥＤユニット７０と一体化した状態（ケーブル用陽極コンタクト４７Ａ、ケーブル用陰極コンタクト４７Ｂ、ＬＥＤ用陰極コンタクト５１、ＬＥＤ用陽極コンタクト５５、及びＬＥＤユニット７０が相対移動しない状態）で別部材（例えばシャシー８２）に固定できるので、ＬＥＤモジュール１０を別の部材に対して簡単に固定できる。
しかもＬＥＤモジュール１０を少ない工程で別部材（例えばシャシー８２）に対して固定可能である。そのため、別部材に固定した古いＬＥＤユニット７０を新しいものと交換するときのメンテナンスが容易である。
またケーブル用陽極コンタクト４７Ａ、ケーブル用陰極コンタクト４７Ｂ、ＬＥＤ用陰極コンタクト５１、ＬＥＤ用陽極コンタクト５５、及びＬＥＤ７４の周囲をＬＥＤ用ホルダ１５で覆ってあるので、ＬＥＤモジュール１０を別部材に対して固定するときにＬＥＤ７４（拡散レンズ７５）が他の部材と接触して傷付くおそれは小さい。さらに固定ボルト８３によってＬＥＤ用ホルダ１５を別部材に固定するときに、固定ボルト８３による固定力（負荷）がケーブル用陽極コンタクト４７Ａ、ケーブル用陰極コンタクト４７Ｂ、ＬＥＤ用陰極コンタクト５１、ＬＥＤ用陽極コンタクト５５、及びＬＥＤユニット７０に及ばないので、これらの部材に変形等が生じることがない。そのためＬＥＤモジュール１０は歩留まりが良く（不良品の発生を抑制でき）、かつ耐用期間が長い。
【００２４】
さらにＬＥＤ７４で発生した熱は基板７１から放熱され、さらに基板７１からシャシー８２に伝わりシャシー８２からも放熱されるので、ＬＥＤ７４の熱を外部に効率よく放熱できる。そのため高温化によるＬＥＤ７４の発光効率の低下を防ぐことが可能である。
またＬＥＤモジュール１０はＬＥＤ７４（拡散レンズ７５）の直近に位置するテーパ状反射面２２を備えているので、照明光の指向性の制御が可能であり、照明光の輝度むらを抑えることができる。
また図１２に示すようにインシュレータ２０に形成した角部凹部２３内に固定ボルト８３の頭部の大部分を位置させているので（固定ボルト８３のインシュレータ２０の上面から上方への突出量が小さいので）、照明光が固定ボルト８３の頭部によって遮られ難い。
さらにケーブル用陽極コンタクト４７Ａ、ケーブル用陰極コンタクト４７Ｂ、ＬＥＤ用陰極コンタクト５１、及びＬＥＤ用陽極コンタクト５５をすべて別体とするのではなく陽極側導電部材４０及び陰極側導電部材５０としてそれぞれ一体化してあるので、ケーブル用陽極コンタクト４７Ａ、ケーブル用陰極コンタクト４７Ｂ、ＬＥＤ用陰極コンタクト５１、及びＬＥＤ用陽極コンタクト５５をすべて別体とした場合に比べてＬＥＤモジュール１０（ＬＥＤ用ホルダ１５）の組立が容易である。
【００２５】
続いて、図１４〜図２１を参照しながら本発明の第２の実施形態について説明する。なお、第１の実施形態と実質的に同じ部材には同じ符号にダッシュ（’）を付けるにとどめて、その詳細な説明は省略する。
本実施形態は本発明のＬＥＤモジュール１０’を照明器具８０’（図２１参照）の光源として利用したものである。
ＬＥＤモジュール１０’（半導体発光素子モジュール）は、ＬＥＤ用ホルダ１５’（半導体発光素子用ホルダ）にＬＥＤユニット７０’（半導体発光素子ユニット）を取り付けて一体化したものである。
【００２６】
ＬＥＤ用ホルダ１５’は大きな構成要素としてインシュレータ２０’（ケース本体）（絶縁部）、陰極側導電部材９０、陽極側導電部材１００、及びカバー部材６０’（ケース本体）を具備している。
平面視略矩形のインシュレータ２０’は絶縁性の合成樹脂材料を射出成形したものであり、その中心部には略矩形の照明用開口２１’が形成してある。インシュレータ２０’の上面には照明用開口２１’の外周側に位置する全体として略矩形のテーパ状反射面２２’が形成してある。インシュレータ２０’の前後と左右の各面の中央部にはそれぞれ係合凹部２５’が形成してあり、各係合凹部２５’の底面には係止突起２６’がそれぞれ突設してある。インシュレータ２０’の下面の左側端部には陽極側ケーブル挿入溝３０Ａ’と陰極側ケーブル挿入溝３０Ｂ’が形成してある。さらにインシュレータ２０’の上面の陽極側ケーブル挿入溝３０Ａ’及び陰極側ケーブル挿入溝３０Ｂ’とそれぞれ対向する位置には、陽極側ケーブル挿入溝３０Ａ’及び陰極側ケーブル挿入溝３０Ｂ’の位置をそれぞれ表す陽極側指標２８Ａ（「＋」の文字からなる）及び陰極側指標２８Ｂ（「−」の文字からなる）が設けてある。さらに平面視略矩形のインシュレータ２０’の照明用開口２１’の外周縁部には円形の指標視認用孔２９が貫通孔として穿設してあり、インシュレータ２０’の上面には指標視認用孔２９に隣接する態様で（「＋」の文字からなる）指標２９Ａが設けてある。
【００２７】
陰極側導電部材９０（陰極側コンタクト）及び陽極側導電部材１００（陽極側コンタクト）は、ばね弾性を備えた銅合金（例えばリン青銅、ベリリウム銅、チタン銅）やコルソン系銅合金の薄板を順送金型（スタンピング）を用いて図示形状に成形加工したものであり、表面にニッケルメッキで下地を形成した後に、金メッキや錫銅めっきを施している。
陰極側導電部材９０は、右側部９１、前部９２、及び左側部９３からなる平板状のベース板部９４を具備している。前部９２の前縁部には左右一対の逃げ用凹部９２ａが形成してある。左側部９３の後端部からはケーブル用陰極コンタクト９５が後方に向かって延びている。ケーブル用陰極コンタクト９５は前方に向けて折り返された弾性変形部９６を有している。ケーブル用陰極コンタクト９５の左側部の下面からは右側に向かって接続片９７が延びており、接続片９７の右端部からは固定片９８が前方に向かって延びている。さらに右側部９１の後端部には左側に向かった後に前斜め下方に向かって延びるＬＥＤ用陰極コンタクト９９が設けてある。
陰極側導電部材９０とは別体の陽極側導電部材１００（コンタクト）は、基部１０１と、基部１０１の後端から前方に向けて折り返された弾性変形部１０２と、基部１０１の下面から左側に延びる接続片１０３と、接続片１０３の左端部から後方に向かって延びる固定片１０４と、からなるケーブル用陽極コンタクト１０５を有している。さらに陽極側導電部材１００の基部１０１の前端部からは、右側に向かった後に後斜め下方に向かって延びるＬＥＤ用陽極コンタクト１０６が設けてある。
陰極側導電部材９０及び陽極側導電部材１００はインシュレータ２０’の底面に対して下方から、互いに離間した状態で取り付けてある。具体的には、ベース板部９４の右側部９１、前部９２、左側部９３をインシュレータ２０’の右側凹部３４’、前側凹部３５’、左側凹部３６’にそれぞれ嵌合すると共に、ケーブル用陰極コンタクト９５とケーブル用陽極コンタクト１０５を陰極側ケーブル挿入溝３０Ｂ’と陽極側ケーブル挿入溝３０Ａ’と前後方向にそれぞれ対向させることにより、インシュレータ２０’の底面に対して取り付けてある。陰極側導電部材９０の右側部９１、前部９２、左側部９３、及び固定片９８はインシュレータ２０’に対して不動であるが、弾性変形部９６は基端部（後端部）を中心に左右方向に弾性変形可能であり、ＬＥＤ用陰極コンタクト９９は上下方向に弾性変形可能である。陽極側導電部材１００の基部１０１及び固定片１０４はインシュレータ２０’に対して不動であるが、弾性変形部１０２は基端部（後端部）を中心に左右方向に弾性変形可能であり、ＬＥＤ用陽極コンタクト１０６は上下方向に弾性変形可能である。
【００２８】
平面視略矩形のカバー部材６０’は絶縁性の合成樹脂材料を射出成形したものである。カバー部材６０’は、上向きの４つの係合凸部６５’を有しており、各係合凸部６５’の内面には係合凹部６５ａが凹設してある。さらにカバー部材６０’の後縁部の左端部には上向きの壁が立設してあり、この壁には陽極側ケーブル挿入孔６９Ａと陰極側ケーブル挿入孔６９Ｂが左右に並べて穿設してある。
カバー部材６０’は、陰極側導電部材９０及び陽極側導電部材１００を支持したインシュレータ２０’の下面に対して下方から取り付けてある。具体的には、基板部６１’によってインシュレータ２０’の下面を塞ぎながら、各係合凸部６５’を対応する係合凹部２５’にそれぞれ位置させ、各係止突起２６’を対応する係合凸部６５’の係合凹部６５ａに係合させることにより取り付ける。すると左右のコンタクト支持凸部６７’がケーブル用陰極コンタクト９５とケーブル用陽極コンタクト１０５の直下にそれぞれ微小クリアランスを形成しながら位置する（接触させてもよい）。さらにインシュレータ２０’の前側の２つの弾性変形片３８’（係合爪３９’）が対応する２つの逃げ用凹部９２ａと２つの逃げ用凹部６３’を通り抜けてカバー部材６０’の下方に突出し、後側の２つの弾性変形片３８’（係合爪３９’）が対応する２つの逃げ用凹部６３’を通り抜けてカバー部材６０’の下方に突出する。
このようにして陰極側導電部材９０及び陽極側導電部材１００を支持したインシュレータ２０’とカバー部材６０’とを一体化することによりＬＥＤ用ホルダ１５’が完成する（図１９参照）。またインシュレータ２０’の陽極側ケーブル挿入溝３０Ａ’、陰極側ケーブル挿入溝３０Ｂ’、ＬＥＤ収納用凹部３１’、右側凹部３４’、前側凹部３５’、及び左側凹部３６’と、カバー部材６０’とによって囲まれた空間が収容空間である。
【００２９】
ＬＥＤユニット７０’は、基板露出用開口６２’と同じ形状の基板７１’と、照明用開口２１’と略同形状のＬＥＤ７４’（半導体発光素子）と、を具備している。ＬＥＤ７４’の陽極が基板７１’の電気回路の陽極側回路を介して陽極７３Ａに接続し、ＬＥＤ７４’の陰極が電気回路の陰極側回路を介して陰極７２Ａに接続している。さらに基板７１’の上面の陽極７３Ａ近傍には陽極７３Ａの位置を示す陽極側指標７６（例えば、図示するように「＋」の文字からなる指標）が設けてある。
ＬＥＤユニット７０’は、下方から基板露出用開口６２’に嵌合することによりＬＥＤ用ホルダ１５’と一体化してある。ＬＥＤユニット７０’の基板７１’を基板露出用開口６２’に嵌合すると、陰極７２Ａが陰極側導電部材９０のＬＥＤ用陰極コンタクト９９を上方に弾性変形させながらＬＥＤ用陰極コンタクト９９に接触し、陽極７３Ａが陽極側導電部材１００のＬＥＤ用陽極コンタクト１０６を上方に弾性変形させながらＬＥＤ用陽極コンタクト１０６に接触するので、基板７１’のＬＥＤ用ホルダ１５’に対する上方への移動が規制される。さらに４つの係合爪３９’が下方から基板７１’の下面の４カ所にそれぞれ係合する。さらに陽極側ケーブル挿入孔６９Ａと陰極側ケーブル挿入孔６９Ｂが陽極側ケーブル挿入溝３０Ａ’と陰極側ケーブル挿入溝３０Ｂ’の直後に位置する。またインシュレータ２０’の指標視認用孔２９の直下に基板７１’の陽極側指標７６が位置するので、作業者はインシュレータ２０’の上方から指標視認用孔２９及びカバー部材６０’の基板露出用開口６２’を通して陽極側指標７６を視認でき、同時に指標視認用孔２９に隣接する指標２９Ａを視認できる。
このようにしてＬＥＤユニット７０’をＬＥＤ用ホルダ１５’と一体化することによりＬＥＤモジュール１０’が完成する（図１４、図１５参照）。
【００３０】
ＬＥＤモジュール１０’の陽極側ケーブル挿入孔６９Ａ（及び陽極側ケーブル挿入溝３０Ａ’）に対してケーブル７７’の一方の端部を直線的に挿入すると、露出した電線７８’の端部が対応する弾性変形部１０２を右側（固定片１０４から離れる方向に）弾性変形させながら弾性変形部１０２に接触し、電線７８’の端部が弾性変形部１０２と固定片１０４（陽極側支持部）の間で挟持される（図２０参照）。またＬＥＤモジュール１０’の陰極側ケーブル挿入孔６９Ｂ（及び陰極側ケーブル挿入溝３０Ｂ’）に対してケーブル７７’の一方の端部を直線的に挿入すると、露出した電線７８’の端部が対応する弾性変形部９６を左側（固定片９８から離れる方向に）弾性変形させながら弾性変形部９６に接触し、電線７８’の端部が弾性変形部９６と固定片９８（陰極側支持部）の間で挟持される（図２０参照）。そのため、各ケーブル７７’はケーブル用陰極コンタクト９５とケーブル用陽極コンタクト１０５に対して、陽極側ケーブル挿入孔６９Ａ（及び陽極側ケーブル挿入溝３０Ａ’）と陰極側ケーブル挿入孔６９Ｂ（及び陰極側ケーブル挿入溝３０Ｂ’）に対する１回の直線的な押し込み操作によって簡単に接続できる。各ケーブル７７’をケーブル用陰極コンタクト９５とケーブル用陽極コンタクト１０５に接続すると、ケーブル７７’に引き抜き力を与えてもケーブル７７’を円滑に引き抜くことはできないが、図示を省略したピンの先端をピン挿入用孔２７’を通して陽極側ケーブル挿入溝３０Ａ’と陰極側ケーブル挿入溝３０Ｂ’の内部に挿入し、該ピンの先端によって弾性変形部９６と弾性変形部１０２を弾性変形させて、弾性変形部９６と弾性変形部１０２に対する電線７８’の接触圧力を低下させることにより、小さい引き抜き力で円滑に引き抜くことができる。
【００３１】
以上構成のＬＥＤモジュール１０’及びケーブル７７’は図２１に示した照明器具８０’の構成物品として利用可能である。
図２１に示すように照明器具８０’を構成する際は、上下の向きを反転させた多数（図２１では４個のみ図示しているが実際は４個より多い）のＬＥＤモジュール１０’を直線方向に並べる。即ち、図２１に示すように、隣り合う２つのＬＥＤモジュール１０’の陽極側ケーブル挿入孔６９Ａ（及び陽極側ケーブル挿入溝３０Ａ’）と陰極側ケーブル挿入孔６９Ｂ（及び陰極側ケーブル挿入溝３０Ｂ’）にケーブル７７’の両端部を接続し、これらのケーブル７７’の一端部を陽極側ケーブル挿入孔６９Ａ（及び陽極側ケーブル挿入溝３０Ａ’）の内部においてケーブル用陽極コンタクト１０５（弾性変形部１０２）に接続し、ケーブル７７’の他端部をケーブル用陰極コンタクト９５（弾性変形部９６）に接続する。即ち、多数のＬＥＤモジュール１０’を直列状態で接続する。
照明器具８０’はベース部材８１とシャシー８２（放熱部材）を具備しており（図２１では図示略）、多数のＬＥＤモジュール１０’の連結体は第１の実施形態と同じ要領で照明器具８０’に取り付けてある。またベース部材８１の下面には、ベース部材８１の下面及びＬＥＤモジュール１０’を覆う（上面のみが開口する）チャンネル形状の投光性カバー部材８４’が被せてある。
図示を省略したスイッチをＯＦＦからＯＮに切り換えれば、電源で発生した電流がケーブル７７’、陰極側導電部材９０、及び陽極側導電部材１００を介して基板７１’の電気回路に流れ各ＬＥＤ７４’が発光する。一方、スイッチをＯＮからＯＦＦに切り換えれば、電流のＬＥＤ７４’への供給が遮断されるので各ＬＥＤ７４’は消灯する。
【００３２】
以上説明した本実施形態も、各ＬＥＤモジュール１０’（ＬＥＤ用ホルダ１５’）の後面（平面からなるケーブル接続面）のみに陽極側ケーブル挿入孔６９Ａ（及び陽極側ケーブル挿入溝３０Ａ’）並びに陰極側ケーブル挿入孔６９Ｂ（及び陰極側ケーブル挿入溝３０Ｂ’）を形成している。そのため、ＬＥＤモジュール１０’に対して各ケーブル７７’を着脱する際は、ＬＥＤモジュール１０’の一方の面側（後方）から陽極側ケーブル挿入孔６９Ａ及び陽極側ケーブル挿入溝３０Ａ’並びに陰極側ケーブル挿入孔６９Ｂ及び陰極側ケーブル挿入溝３０Ｂ’に対して各ケーブル７７’を着脱すればよいので、ＬＥＤモジュール１０’（陽極側ケーブル挿入孔６９Ａ及び陽極側ケーブル挿入溝３０Ａ’並びに陰極側ケーブル挿入孔６９Ｂ及び陰極側ケーブル挿入溝３０Ｂ’）に対して各ケーブル７７’を容易に着脱可能である。
さらに各ＬＥＤモジュール１０’（ＬＥＤ用ホルダ１５’）は、各ＬＥＤ用ホルダ１５’の後面（平面からなるケーブル接続面）を同じ方向に向けた状態で（隣り合うＬＥＤモジュール１０’のケーブル接続面どうしを対向させずに）、各ＬＥＤモジュール１０’どうしを直線状に接続できる。そのため、作業者はケーブル７７’の着脱作業時に隣り合うＬＥＤモジュール１０’の対向面間に手（指）を入れる必要がないので、隣り合うＬＥＤモジュール１０’どうしの間隔（接続ピッチ）を短くしながら各ＬＥＤモジュール１０’どうしを直線状に接続することが可能である。
さらにインシュレータ２０’の上方から、指標視認用孔２９及びカバー部材６０’の基板露出用開口６２’を通して指標視認用孔２９の直下に位置する基板７１’を視認でき、同時に指標視認用孔２９に隣接する指標２９Ａを視認できる。特に本実施形態では指標視認用孔２９を、陽極側ケーブル挿入孔６９Ａ及び陽極側ケーブル挿入溝３０Ａ’並びに陰極側ケーブル挿入孔６９Ｂ及び陰極側ケーブル挿入溝３０Ｂ’の近傍に設けている（指標視認用孔２９、陽極側ケーブル挿入孔６９Ａ及び陽極側ケーブル挿入溝３０Ａ’、並びに陰極側ケーブル挿入孔６９Ｂ及び陰極側ケーブル挿入溝３０Ｂ’を照明用開口２１’の左側に配置している）ので、作業者は陽極側ケーブル挿入孔６９Ａ及び陽極側ケーブル挿入溝３０Ａ’並びに陰極側ケーブル挿入孔６９Ｂ及び陰極側ケーブル挿入溝３０Ｂ’に対して各ケーブル７７’を装着するときに指標視認用孔２９及び指標２９Ａを同時に視認できる。そのため指標視認用孔２９及び基板露出用開口６２’を通して陽極側指標７６を視認できた場合（陽極側指標７６が外側に露出した場合）は、ＬＥＤユニット７０’（基板７１’）のインシュレータ２０’に対する取付角度（取付位置）が正規の取付角度（取付位置）であること（陽極７３Ａが陽極側導電部材１００のＬＥＤ用陽極コンタクト１０６に接触していること）を認識できる。その一方で、指標視認用孔２９及び基板露出用開口６２’を通して陽極側指標７６を視認できない場合は、ＬＥＤユニット７０’（基板７１’）のインシュレータ２０’に対する取付角度（取付位置）が正規の取付角度（取付位置）から１８０°ずれていること（陰極７２Ａが陽極側導電部材１００のＬＥＤ用陽極コンタクト１０６に接触していること）を認識できる。
また、インシュレータ２０’の上面に陽極側指標２８Ａ及び陰極側指標２８Ｂを設けているので、作業者は陽極側ケーブル挿入溝３０Ａ’（陽極側ケーブル挿入孔６９Ａ）と陰極側ケーブル挿入溝３０Ｂ’（陰極側ケーブル挿入孔６９Ｂ）のいずれがケーブル用陰極コンタクト９５（ケーブル用陽極コンタクト１０５）と繋がる孔であるかを確実に認識できる。
【００３３】
以上、本発明を上記各実施形態に基づいて説明したが、本発明は上記実施形態に限定されるものではなく、様々な変形を施しながら実施可能である。
例えば陽極側導電部材４０、１００及び陰極側導電部材５０、９０を成形型の内部に入れたインサート成形によってインシュレータ２０、２０’とカバー部材６０、６０’を有するケース本体を一体的に成形してもよい。
弾性変形片３８、３８’（係合爪３９、３９’）を、インシュレータ２０、２０’ではなくカバー部材６０、６０’に形成してもよい。
さらに基板７１、７１’の下面とシャシー８２の間に伝熱シートなどを介在させてもよい。このようにすると基板７１、７１’と係合爪３９、３９’は互いに離間するが、ＬＥＤ用陰極コンタクト５１、９９及びＬＥＤ用陽極コンタクト５５、１０６からの基板７１、７１’に対する押圧力は消失しない（さらに強まる）ので、陽極７２、７３Ａ及び陰極７３、７２ＡとＬＥＤ用陽極コンタクト５５、１０６とＬＥＤ用陰極コンタクト５１、９９の導通は共に維持される。
基板７１、７１’の下面が係合爪３９、３９’と係合したときに、基板７１、７１’の下面が基板露出用開口６２、６２’（基板部６１、６１’の下面）から下方に突出するように、弾性変形片３８、３８’の長さ（係合爪３９、３９’の位置）を設定してもよい。このようにすれば、ＬＥＤモジュール１０、１０’をベース部材８１に固定したときに、基板７１、７１’の下面をシャシー８２に対してより確実に当接させることが可能になる。
またケーブル用陽極コンタクト４７Ａ、１０５、ケーブル用陰極コンタクト４７Ｂ、９５、ＬＥＤ用陰極コンタクト５１、９９、及びＬＥＤ用陽極コンタクト５５、１０６をそれぞれ別体としてもよい。
さらに基板７１、７１’に載せるＬＥＤ７４、７４’の数を複数としたり、ＬＥＤモジュール１０、１０’（ＬＥＤ用ホルダ１５、１５’）を照明器具８０、８０’とは別タイプの照明器具の構成部品として利用してもよい。
【００３４】
また陽極側指標７６の代わりに図示を省略した陰極側指標（例えば、「−」の文字からなる指標）を設け、この陰極側指標の近傍に陰極７２Ａを位置させることにより、ＬＥＤユニット７０’（基板７１’）のインシュレータ２０’に対する取付角度（取付位置）が正規の取付角度（取付位置）のときに、インシュレータ２０’に形成した指標視認用孔（指標視認用孔２９に相当する孔）及び基板露出用開口６２’を通して陰極側指標を視認できる（陰極７２Ａが陰極側導電部材９０のＬＥＤ用陰極コンタクト９９に接触していることを作業者が認識できる）ようにしてもよい。この際、インシュレータ２０’に、当該指標視認用孔に隣接する態様で（当該指標視認用孔の近傍に）（例えば「−」の文字からなる）指標（指標２９Ａに相当するもの）を設けるのが好ましい。
さらに上記各実施形態のＬＥＤモジュール１０、１０’を並列状態で接続してもよい。図２２は第１の実施形態の多数のＬＥＤモジュール１０を並列状態で接続した模式図である。第２の実施形態の多数のＬＥＤモジュール１０’を並列状態で接続した図は省略してあるが、図２２と同じ要領で接続することが可能である。
【符号の説明】
【００３５】
１０  １０’  ＬＥＤモジュール（半導体発光素子モジュール）
１５  １５’  ＬＥＤ用ホルダ（半導体発光素子用ホルダ）
２０  ２０’  インシュレータ（ケース本体）（絶縁部）
２１  ２１’  照明用開口
２２  ２２’  テーパ状反射面
２３  ２３’  角部凹部
２４  ２４’  貫通孔
２５  ２５’  係合凹部
２６  ２６’  係止突起
２７  ２７’  ピン挿入用孔
２８Ａ  陽極側指標
２８Ｂ  陰極側指標
２９    指標視認用孔
３０Ａ  ３０Ａ’  陽極側ケーブル挿入溝
３０Ｂ  ３０Ｂ’  陰極側ケーブル挿入溝
３１  ３１’  ＬＥＤ収納用凹部
３２    コンタクト収納用凹部
３４  ３４’  右側凹部
３５  ３５’  前側凹部
３６  ３６’  左側凹部
３７    コンタクト挿入溝
３８  ３８’  弾性変形片
３９  ３９’  係合爪（基板保持部）
４０    陽極側導電部材（陽極側コンタクト）
４１    右側部
４２    前部
４２ａ  逃げ用凹部
４３    左側部
４４    ベース板部
４５    円形孔
４７Ａ    ケーブル用陽極コンタクト
４７Ｂ    ケーブル用陰極コンタクト
４８    弾性変形部
４９    接続部
５０    陰極側導電部材（陰極側コンタクト）
５１    ＬＥＤ用陰極コンタクト（基板保持部）
５２    接触端部
５４    接続部
５５    ＬＥＤ用陽極コンタクト（基板保持部）
５６    接触端部
６０  ６０’  カバー部材（ケース本体）
６１  ６１’  基板部
６２  ６２’  基板露出用開口
６３  ６３’  逃げ用凹部
６４  ６４’  押え用突起
６５  ６５’  係合凸部
６５ａ  係合凹部
６７  ６７’  コンタクト支持凸部
６８  ６８’  貫通孔
６９    環状突起
６９Ａ  陽極側ケーブル挿入孔
６９Ｂ  陰極側ケーブル挿入孔
７０  ７０’  ＬＥＤユニット（半導体発光素子ユニット）
７１  ７１’  基板
７２    陽極
７２Ａ  陰極
７３    陰極
７３Ａ  陽極
７４  ７４’  ＬＥＤ（半導体発光素子）
７５    拡散レンズ
７６    陽極側指標（指標）
７７  ７７’  ケーブル
７８  ７８’  電線
７９  ７９’  被覆チューブ
８０    照明器具
８１    ベース部材
８２    シャシー（放熱部材）
８３  ８３’  固定ボルト
８４  ８４’  投光性カバー部材
８５    天井板
８６    貫通孔
９０    陰極側導電部材（陰極側コンタクト）
９１    右側部
９２    前部
９２ａ  逃げ用凹部
９３    左側部
９４    ベース板部
９５    ケーブル用陰極コンタクト
９６    弾性変形部
９７    接続片
９８    固定片（陰極側支持部）
９９    ＬＥＤ用陰極コンタクト（基板保持部）
１００  陽極側導電部材（陽極側コンタクト）
１０１  基部
１０２  弾性変形部
１０３  接続片
１０４  固定片（陽極側支持部）
１０５  ケーブル用陽極コンタクト
１０６  ＬＥＤ用陽極コンタクト（基板保持部）
【図１】
2014110189.tif 000003
【図２】
2014110189.tif 000004
【図３】
2014110189.tif 000005
【図４】
2014110189.tif 000006
【図５】
2014110189.tif 000007
【図６】
2014110189.tif 000008
【図７】
2014110189.tif 000009
【図８】
2014110189.tif 000010
【図９】
2014110189.tif 000011
【図１０】
2014110189.tif 000012
【図１１】
2014110189.tif 000013
【図１２】
2014110189.tif 000014
【図１３】
2014110189.tif 000015
【図１４】
2014110189.tif 000016
【図１５】
2014110189.tif 000017
【図１６】
2014110189.tif 000018
【図１７】
2014110189.tif 000019
【図１８】
2014110189.tif 000020
【図１９】
2014110189.tif 000021
【図２０】
2014110189.tif 000022
【図２１】
2014110189.tif 000023
【図２２】
2014110189.tif 000024